【手続補正書】
【提出日】平成17年8月18日(2005.8.18)
【手続補正１】
【補正対象書類名】明細書
【補正対象項目名】０００７
【補正方法】変更
【補正の内容】
【０００７】
Ａ／Ｄ変換器２３では、クロック信号生成部２５から供給されたクロック信号ＣＫaでサンプリングを行い、復調信号ＰIsをディジタルの受信データＤIに変換して信号処理部３０に供給する。また、Ａ／Ｄ変換器２４では、クロック信号生成部２５から供給されたクロック信号ＣＫaでサンプリングを行い、復調信号ＰQsをディジタルの受信データＤQに変換して信号処理部３０に供給する。信号処理部３０では、受信データＤI，ＤQを用いて誤り検出訂正処理等を行い、正しい受信データを生成する。
【手続補正２】
【補正対象書類名】明細書
【補正対象項目名】００６０
【補正方法】変更
【補正の内容】
【００６０】
時点ｔ23で制御信号φ12がハイレベル「Ｈ」とされると、スイッチ回路４２３-2が導通状態となり、コンデンサ４２５の端子間電圧Ｖcpbは、図６Ｊに示すように信号ＲIFs-aの信号レベルと等しくなる。また、時点ｔ23で制御信号φ16がハイレベル「Ｈ」とされると、サンプルホールド回路４２６ではサンプル動作を開始してコンデンサ４２４で保持している端子間電圧Ｖcpaに応じた信号を図６Ｋに示すように復調信号ＰIとして出力する。
【手続補正３】
【補正対象書類名】明細書
【補正対象項目名】００６２
【補正方法】変更
【補正の内容】
【００６２】
時点ｔ25で制御信号φ13がハイレベル「Ｈ」とされると、スイッチ回路４２３-3が導通状態となり、コンデンサ４２４の端子間電圧Ｖcpaは、図６Ｈに示すように信号ＲIFs-bの信号レベルと等しくなる。また、時点ｔ25で制御信号φ15がハイレベル「Ｈ」とされると、サンプルホールド回路４２７ではサンプル動作を開始してコンデンサ４２５で保持している端子間電圧Ｖcpbに応じた信号を図６Ｌに示すように復調信号ＰQとして出力する。
【手続補正４】
【補正対象書類名】明細書
【補正対象項目名】００６６
【補正方法】変更
【補正の内容】
【００６６】
ところで、集積回路では、素子特性のばらつきや温度による特性変化のばらつきの影響等を少なくするために差動増幅器を用いることが多い。このため、差動回路で構成した復調信号生成部を第３の構成として図７に示す。この第３の構成の復調信号生成部４０cでは、サンプリングブロック４０c-1によって、復調制御部７０からの制御信号ＤＰに基づき中間周波信号ＲIFsのサンプリングあるいは極性を反転したサンプリングを行うものとし、このサンプリングされた信号を信号合成ブロック４０c-2で合成して復調信号ＰI，ＰQを得るものである。
【手続補正５】
【補正対象書類名】明細書
【補正対象項目名】００６７
【補正方法】変更
【補正の内容】
【００６７】
中間周波信号ＲIFsは、復調信号生成部４０cの入力端子４３１-p，４３１-n間に入力する。入力端子４３１-pは、サンプリングブロック４０c-1のスイッチ回路４３２-1を介して、信号合成ブロック４０c-2を構成する差動増幅器４３６の反転入力端子と接続する。また、スイッチ回路４３２-4を介して差動増幅器４３６の非反転入力端子と接続する。さらに、スイッチ回路４３３-1を介して差動増幅器４３７の反転入力端子と接続するとともに、スイッチ回路４３３-4を介して差動増幅器４３７の非反転入力端子と接続する。
【手続補正６】
【補正対象書類名】明細書
【補正対象項目名】００６８
【補正方法】変更
【補正の内容】
【００６８】
入力端子４３１-nは、スイッチ回路４３２-2を介して差動増幅器４３６の非反転入力端子と接続するとともに、スイッチ回路４３２-3を介して差動増幅器４３６の反転入力端子と接続する。また、スイッチ回路４３３-2を介して差動増幅器４３７の非反転入力端子と接続するとともに、スイッチ回路４３３-3を介して差動増幅器４３７の反転入力端子と接続する。さらに、差動増幅器４３６の入力端子間にコンデンサ４３４を設けるとともに、差動増幅器４３７の入力端子間にコンデンサ４３５を設けるものとする。
【手続補正７】
【補正対象書類名】明細書
【補正対象項目名】００６９
【補正方法】変更
【補正の内容】
【００６９】
スイッチ回路４３２-1，４３２-2は、上述の制御信号φ11で駆動する。同様に、スイッチ回路４３３-1，４３３-2は、制御信号φ12で駆動するとともに、スイッチ回路４３２-3，４３２-4は、制御信号φ13で駆動する。さらに、スイッチ回路４３３-3，４３３-4は、制御信号φ14によって駆動する。
【手続補正８】
【補正対象書類名】明細書
【補正対象項目名】００７８
【補正方法】変更
【補正の内容】
【００７８】
図１０において、トランジスタ７０１-pのソースはコンデンサ７０２-pの一方の端子とトランジスタ７０３-pのドレインに接続する。コンデンサ７０２-pの他方の端子はトランジスタ７０４-pのドレインと差動増幅器７０５の反転入力端子に接続する。トランジスタ７０３-p，７０４-pのソースは差動増幅器７０５の正極側出力端子に接続する。
【手続補正９】
【補正対象書類名】明細書
【補正対象項目名】００７９
【補正方法】変更
【補正の内容】
【００７９】
トランジスタ７０１-nのソースはコンデンサ７０２-nの一方の端子とトランジスタ７０３-nのドレインに接続する。コンデンサ７０２-nの他方の端子はトランジスタ７０４-nのドレインと差動増幅器７０５の非反転入力端子に接続する。トランジスタ７０３-n，７０４-nのソースは差動増幅器７０５の負極側出力端子に接続する。
【手続補正１０】
【補正対象書類名】明細書
【補正対象項目名】００８８
【補正方法】変更
【補正の内容】
【００８８】
スイッチト・キャパシタ・フィルタ・ブロック４５-3は、スイッチト・キャパシタ・フィルタで構成する。スイッチト・キャパシタ・フィルタは、例えば差動増幅器６１の反転入力端子に接続される抵抗Ｒｇを、実線で示すネガティブ・スイッチト・キャパシタ・トランスレジスタンス(Negative Switched Capacitor Transresistance)６２で置き換える。また、差動増幅器６１の反転入力端子と出力端子間に設けられている積分コンデンサ６３に並列接続された帰還用の抵抗Ｒｆを、実線で示すポジティブ・スイッチト・キャパシタ・トランスレジスタンス(Positive Switched Capacitor Transresistance)６４で置き換えて構成する。
【手続補正１１】
【補正対象書類名】明細書
【補正対象項目名】００９１
【補正方法】変更
【補正の内容】
【００９１】
このスイッチト・キャパシタ・フィルタでは、スイッチ回路６２１，６２３の可動端子ｃを切り換えて、信号生成ブロック４５-2からの信号によってコンデンサ６２２を充電する。その後、スイッチ回路６２１，６２３の可動端子を切り換えて、コンデンサ６２２に充電されている電荷を差動増幅器６１に供給する。また、スイッチ回路６２１，６２３の切換動作に対応させてスイッチ回路６４１，６４３をスイッチング駆動する。さらに、ネガティブ・スイッチト・キャパシタ・トランスレジスタンス６２では、「π」の位相差を有する位相差「０」，「π」のサンプリング出力信号に基づいて電荷の転送を行うことにより、スイッチング周波数に応じた低域フィルタ特性でフィルタ処理がなされた復調信号、例えばチャネル外の妨害信号を除去した復調信号ＰIsを差動増幅器６１から得ることができる。
【手続補正１２】
【補正対象書類名】明細書
【補正対象項目名】００９８
【補正方法】変更
【補正の内容】
【００９８】
コンデンサ６４２-pの他方の端子は、スイッチ回路６４５-pを介して差動増幅器６１の出力端子に接続するとともに、スイッチ回路６４６-pを介して接地する。スイッチ回路６４４-pの他方の端子は反転入力端子と接続するとともに、積分コンデンサ６３-pを介して正極側出力端子と接続する。
【手続補正１３】
【補正対象書類名】明細書
【補正対象項目名】００９９
【補正方法】変更
【補正の内容】
【００９９】
コンデンサ６２２-nの他方の端子は、スイッチ回路６２５の他方の端子とスイッチ回路６４４-nおよびコンデンサ６４２-nの一方の端子と接続する。コンデンサ６４２-nの他方の端子は、スイッチ回路６４５-nを介して差動増幅器６１の出力端子に接続するとともに、スイッチ回路６４６-nを介して接地する。スイッチ回路６４４-nの他方の端子は非反転入力端子と接続するとともに、積分コンデンサ６３-nを介して負極側出力端子と接続する。
【手続補正１４】
【補正対象書類名】明細書
【補正対象項目名】０１１４
【補正方法】変更
【補正の内容】
【０１１４】
スイッチ回路６４７-pの他方の端子は反転入力端子と接続するとともに、積分コンデンサ６３-pを介して出力端子と接続する。また、スイッチ回路６４８-pの他方の端子は非反転入力端子と接続するとともに、積分コンデンサ６３-nを介して出力端子と接続する。
【手続補正１５】
【補正対象書類名】明細書
【補正対象項目名】０１１７
【補正方法】変更
【補正の内容】
【０１１７】
このように構成された復調信号生成部４５bでは、制御信号φ21によってスイッチ回路を導通状態とした場合と、制御信号φ23によってスイッチ回路を導通状態とした場合では、供給された信号が逆極性で用いられる。このため、極性の反転してスイッチト・キャパシタ・フィルタのコンデンサを充電しなくとも、差動増幅器６１から復調信号ＰIsや復調信号ＰQsを得ることができる。